(57)【要約】  【課題】  公差のマイナス側において支持部材自体の締付け切欠部の寸法の公差がより大きい場合であっても、ロック部材の挿入のための力は比較的小さいにも拘わらず、引き抜きには大きな力を要する大きな締め付け作用が生成されるように構成された固定エレメントを提供する。  【解決手段】  保持部材（２）と、縦長のロック部材（３）とを有する、支持部材（１８）と取付け部材（２０）とを結合するための固定エレメントであって、  前記保持部材（２）は、載置ディスク（４）と、該載置ディスク（４）に関して半径方向内方にずれて位置し該載置ディスク（４）に形成された複数のスプリット式拡開側壁（５）とを有し、該複数の拡開側壁（５）は、それぞれ、前記載置ディスク（４）から所与の距離において半径方向内方に突出する滑り凸部（１４）を有し、  前記ロック部材（３）は、そのシャフト部分（６）を以って、前記載置ディスク（４）内に面一な案内壁（１３）を備えて形成された案内切欠部（１２）を通り、前記複数の拡開側壁（５）間の前記保持部材（２）内に挿入可能であり、該ロック部材（３）は前記滑り凸部（１４）に乗り上げると前記拡開側壁（５）を半径方向外方に動かすよう構成された、固定エレメントにおいて、  前記案内切欠部（１２）と前記滑り凸部（１４）との間の各拡開側壁（５）には、前記載置ディスク（４）に隣接して、前記案内切欠部（１２）の前記案内壁（１３）に対して半径方向外方にずれて位置する自由壁（１６）が形成されている。  【選択図】  図２
2010534304.tif 000002
【特許請求の範囲】
【請求項１】
支持部材（１８）と取付け部材（２０）とを結合するための固定エレメントであって、
該固定エレメントは、保持部材（２）と、縦長のロック部材（３）とを有し、
前記保持部材（２）は、載置ディスク（４）と、該載置ディスク（４）に関して半径方向内方にずれて位置し該載置ディスク（４）に形成された複数のスプリット式拡開側壁（以下「拡開側壁」という）（５）とを有し、該複数の拡開側壁（５）は、それぞれ、前記載置ディスク（４）から所与の距離において半径方向内方に突出する滑り凸部（１４）を有し、
前記ロック部材（３）は、そのシャフト部分（６）を以って、前記載置ディスク（４）内に面一な案内壁（１３）を備えて形成された案内切欠部（１２）を通り、前記複数の拡開側壁（５）間の前記保持部材（２）内に挿入可能であり、該ロック部材（３）は前記滑り凸部（１４）に乗り上げると前記拡開側壁（５）を半径方向外方に動かすよう構成された、固定エレメントにおいて、
前記案内切欠部（１２）と前記滑り凸部（１４）との間の各拡開側壁（５）には、前記載置ディスク（４）に隣接して、前記案内切欠部（１２）の前記案内壁（１３）に対して半径方向外方にずれて位置する自由壁（１６）が形成されていること
を特徴とする固定エレメント。
【請求項２】
各自由壁（１６）は、前記載置ディスク（４）から前記滑り凸部（１４）まで延在していること
を特徴とする請求項１に記載の固定エレメント。
【請求項３】
前記ロック部材（３）は、前記保持部材（２）から離隔する側を指向するヘッド部分（８）と前記シャフト部分（６）との間に、リング溝（９）を有すること
を特徴とする請求項１または２に記載の固定エレメント。
【請求項４】
前記シャフト部分（６）には、半径方向に当該シャフト部分（６）を越えて突出する弾性的なヘッドシール（２８）が密封手段によって形成されており、
前記ヘッドシール（２８）は、前記ロック部材（３）が導入された状態において、前記案内壁（１３）に当接すること
を特徴とする請求項１〜３の何れか一項に記載の固定エレメント。
【請求項５】
前記載置ディスク（４）と前記自由壁（１６）との間の少なくとも前記拡開側壁（５）に、前記自由壁（１６）に対して直角にないし急峻に延在する戻り止め（返し）壁（Ruecksprungwand）（１７）が形成されていること、及び
前記シャフト部分（６）には、前記ロック部材（３）の最終組み付け固定状態において前記戻り止め（返し）壁（１７）に後方から係合する弾性的な係止手段（２６）が形成されていること
を特徴とする請求項１〜４の何れか一項に記載の固定エレメント。
【請求項６】
前記載置ディスク（４）には、弾性的な密封手段（３１，３２）が形成されており、該密封手段は、最終組み付け固定状態において前記係止手段（２６）が前記戻り止め（返し）壁（１７）に後方から係合する際に変形して取付け部材（２０）に当接すること
を特徴とする請求項５に記載の固定エレメント。
【請求項７】
前記複数の拡開側壁（５）は、それぞれ、半径方向外方に肥厚する外周壁（２２）を有すること
を特徴とする固定エレメント請求項１〜６の何れか一項に記載の固定エレメント。
【発明の詳細な説明】
【技術分野】
【０００１】
本発明は、請求項１の上位概念（前置部）に応じた支持部材と取付け部材とを結合するための固定エレメントに関する。
【背景技術】
【０００２】
この種の固定エレメントはＤＥ ３４ ２４ ０７５ Ｃ２から既知である。支持部材と取付け部材とを結合するためのこの既知の固定エレメントは、支持部材の締付け切欠部にはめ込まれ得る保持部材を有し、該保持部材は、１つの載置ディスクと、この載置ディスクに関して半径方向内方にずれて位置し該載置ディスクに形成された複数のスプリット式拡開側壁とを有する。複数の拡開側壁は、それぞれ、載置ディスクから所定の距離の位置において半径方向内方に突出する滑り凸部を有する。さらに、上記の種類の固定エレメントは、縦長のロック部材を備え、該ロック部材は、そのシャフト部分を以って、載置ディスク内に当該ロック部材と面一な案内壁を備えて形成されている案内切欠部を通して保持部材内の複数の拡開側壁の間に挿入可能である。その際、ロック部材は、滑り凸部に衝突して拡開側壁を半径方向外方に動かすことにより、支持部材と載置ディスクの間に配置された取付け部材は、締め付け作用によって支持部材と結合される。
【先行技術文献】
【特許文献】
【０００３】
【特許文献１】ＤＥ ３４ ２４ ０７５ Ｃ２
【発明の概要】
【発明が解決しようとする課題】
【０００４】
本発明の課題は、公差のマイナス側において支持部材自体の締付け切欠部の寸法の公差がより大きい場合であっても、ロック部材の挿入のための力は比較的小さいにも拘わらず、引き抜きには大きな力を要する大きな締め付け作用が生成されるように構成された、冒頭に述べた形式の固定エレメントを提供することである。
【課題を解決するための手段】
【０００５】
上記の課題は、冒頭に述べた種類の固定エレメントにおいて、本発明に応じ、請求項１の特徴部に記載の特徴によって解決される。
【発明の効果】
【０００６】
案内切欠部と複数の滑り凸部との間の、各スプリット式拡開（拡縮）側壁（割れ目で分割され拡縮可能な拡開側壁（Spreizwange）。以下「拡開側壁」という。）（の部分）に案内壁に対して半径方向外方にずれて位置する自由壁が形成されることによって、支持部材に貫通嵌込切欠部が比較的ぎりぎりの寸法で形成されているために拡開側壁がその弛緩状態に対して（半径方向）内方に湾曲されている場合であっても、シャフト部分は案内切欠部を貫通後に実質的に力を要することなく拡開側壁間に嵌り込む。そもそも予定されていない拡開側壁の（半径方向）内方への湾曲が生じる場合であっても、支持部材の貫通嵌込切欠部に保持部材が実質的に相互作用なしで配される場合には一層のこと、固定部材の挿入方向において前方に位置する脚端部は、載置ディスクから所定の距離だけ離れたところで初めて拡開側壁に作用するため、この場合に得られる有利な梃子比に基づき、比較的小さな挿入力によって（挿入のために比較的小さな力しか要しないにも拘わらず）大きな締め付け力が生成される。
【発明を実施するための形態】
【０００７】
本発明の更なる有利な形態は従属請求項の対象である。
【０００８】
以下に、本発明の実施例を図面を参照して詳細に説明する。
【図面の簡単な説明】
【０００９】
【図１】保持部材とロック部材を備える本発明の固定エレメントの第１実施例の斜視図。
【図２】組み付け固定準備状態にあるロック部材を備える図１の実施例の断面図。
【図３】最終組み付け固定状態にあるロック部材を備える図１の実施例の断面図。
【図４】保持部材と、係止手段を有するロック部材とを備える本発明の固定エレメントの更なる実施例の斜視図。
【図５】ロック部材が最終組み付け固定状態にあり、第１の形態のシールエレメントを備えた図４の実施例の断面図。
【図６】ロック部材が最終組み付け固定状態にあり、第２の形態のシールエレメントを備えた図４の実施例の断面図。
【実施例】
【００１０】
図１は、硬弾性のプラスチック材料で作製された本発明の固定エレメント１の第１実施例を斜視図である。固定エレメント１は、保持部材２と、該保持部材２に摺動可能に軸支される縦長のロック部材３とを有する。保持部材２はディスク状の平坦な載置ディスク４を有し、載置ディスク４には、一方の側に、ロック部材３の周りに取り囲むように配された複数のスプリット式拡開（拡縮）側壁（Spreizwange）５が形成されている（作り付けられている）。ロック部材３はシャフト部分６を有し、シャフト部分６は空転を阻止する機能を有する平坦な平坦部７以外は円筒状である。平坦部７は、グリップ補助部として機能し（全）周に延在するリング溝９により形成されたヘッド部分８から係止段差部１０を形成してヘッド部分８の反対側に位置する脚部分１１まで延在している。脚部分１１は、図１に示した状態では、載置ディスク４に形成された案内切欠部１２に嵌め込まれている。案内切欠部１２は案内壁１３を備えて形成され、案内壁１３はシャフト部分６を面一に取り囲むため、ロック部材３は実質的に遊びなしで案内切欠部１２から保持部材２内に案内され、係止段差段１０が載置ディスク４に当接するまで保持部材２内に導入可能である。
【００１１】
図２は、ロック部材３が引き出されている組み付け固定準備状態にある図１の実施例の断面を示す。組み付け固定準備状態では、脚部分１１は案内切欠部１２内に配置されている。図２から明らかなとおり、拡開側壁５は、載置ディスク４から所定の距離の部位に半径方向内方に突出する滑り凸部１４が形成されている。滑り凸部１４は、固定エレメント１の長手方向においてその載置ディスク４を指向する側の端部から載置ディスク４から離隔する側を指向する端部まで、半径方向内方に扁平に（緩傾斜で）上昇する滑り壁１５を有する。さらに図２から明らかなとおり、載置ディスク４と滑り凸部１４との間の各拡開側壁５の部分に、案内壁１３に対して半径方向で外方にずれて（後退して）位置する自由壁１６と、案内壁１３から自由壁１６まで延在し、案内壁１３に対して実質的に直角に配向され（全）周にわたって延在する戻り止め（返し）壁（ないし肩部：Ruecksprungwand）１７が形成されている。
【００１２】
図２の状態では、固定エレメント１は、支持部材１８に形成された締付け切欠部１９内及び取付け部材２０に設けられた貫通嵌込切欠部２１内に挿入されているが、この状態では、載置ディスク４は取付け部材２０に当接し、他方、外周壁２２が載置ディスク４から取付け部材２０の厚さにほぼ相当する距離の部位から出発し半径方向外方に肥厚している（幅が広くなっている）ため、拡開側壁５は、バネ圧縮に対する拡開側壁５のバネ力に相当する組み付け固定準備状態保持力によって支持部材１８に固定されている。
【００１３】
さらに図２から明らかなとおり、載置ディスク４は、この実施例では一体的に構成されているため、拡開側壁５を指向する側に半径方向外方において（全）周に延在する密封リップ２３を硬弾性の密封手段として有する。密封リップ２３は、軸線方向において、拡開側壁５に指向された底壁２４を少々越えて突出し、かつ、密封リップ２３のある程度の変形可能性を得るために、半径方向内方において、（全）周にわたって延在し円弧状に窪んだ縁溝２５によって画成されている。
【００１４】
図３は、ロック部材３が保持部材２に導入された最終組み付け結合状態にある図１と図２に基づいて説明した実施例を示す。図３から明らかなとおり、ロック部材３のヘッド部分８と各自由壁１６との間に半径方向に間隔が存在する。この間隔のため、脚部分１１は、例えば締付け切欠部１９の寸法が公差のマイナス側にあるために拡開側壁５が半径方向内方に（予）付勢されている場合であっても、軸線方向に例えば拡開側壁５の長さの凡そ３分の１の導入経路を実質的に力を受けることなく進んで初めて滑り凸部１４の滑り壁１５と接触し、支持部材１８の締付け切欠部１９内で締め付け状態にある保持部材２の拡開側壁５を（外方に）広げる。半径方向における拡開側壁５の拡開による締め付け作用により、固定エレメント１は引き抜きのために大きな力を要するほど安定的に支持部材１８に係止される。その際、密封リップ２３はやや付勢されて取付け部材２０に面一に当接することにより、締付け切欠部１９と挿入切欠部２１を密封する。
【００１５】
さらに、載置ディスク４から比較的大きな距離のところで脚部分１１が滑り凸部１４に作用を及ぼすため、拡開側壁５の拡開のために有利な梃子比が達成される。この梃子比は、締付け切欠部１９の直径が目標直径に対して過度に小さいために、拡開側壁５が半径方向内方に曲げられて過度に（予）付勢される場合であっても得られる。
【００１６】
固定エレメント１を支持部材１８との嵌合状態から解除するために、例えば２本の指または把持工具によってロック部材３を有利にはリング溝９の領域で把持し、図３に示した最終組み付け固定状態から図２に示した組み付け固定準備状態に引き戻すことができるため、固定エレメント１は再び支持部材１８から除去することができる。
【００１７】
図４は、本発明の固定エレメント１の更なる（第２の）実施例の斜視図である。なお、図１〜図３及び図４において対応するエレメントには同じ図面参照符合が付してあり、以下においては詳細には説明しない。図４から明らかなとおり、第２実施例のロック部材３のシャフト部分６には、係止手段として、ヘッド部分８の方向に延在し、半径方向にシャフト部分６を越えて突出する弾性的な係止タング（舌状片）２６が形成されている（作り付けられている）。係止タング２６は、シャフト部分６の方向に空間部２７に陥入することができる。
【００１８】
図４に記載された第２実施例では、ロック部材３のヘッド部分８に、（全）周に延在する弾性的なヘッドシール２８が軟弾性の密封手段によって形成されているが、ヘッドシール２８も同様に半径方向外方にシャフト部分６を越えて張り出している。更に、第２実施例の場合、ヘッド部分８は、シャフト部分６から離隔する側に、半径方向に同様にシャフト部分６を越えて張り出しているヘッドディスク２９を有する。
【００１９】
図５は、図４に示した組み付け固定準備状態から最終組み付け固定状態にロック部材３が移行した後の状態にある図４の第２実施例を示す。この最終組み付け固定状態では、係止タング２６の自由端と、ヘッドディスク２９の係止タング２６を指向する側との間の距離が相応に調整されているため、係止タング２６は戻り止め（返し）壁（肩部）１７に後方から係合し、それによって固定エレメント１に大きな引き抜き力が加えられるまでロック部材３を保持部材２にロックする。最終組み付け固定状態においては、ヘッドシール２８は、案内切欠部１２の案内壁１３に圧迫されて密着している。
【００２０】
さらに図５から明らかなとおり、第１の形態の密封手段では、ヘッドディスク２９の半径方向外側に形成された（全）周に延在する縁ウェブ３０に、軟質材料からなる弾性的なカラーリップ３１が形成されている（作り付けられている）。カラーリップ３１は、載置ディスク４の拡開側壁５を指向する側の半径方向の拡張部（広がり）にほぼ相当する半径方向の拡張部（広がり）を有する。これによって、取付け部材２０におけるカラーリップ３１の載置面積が比較的に大きくなるため、良好な密封作用が得られる。
【００２１】
図６は、第２の形態の密封手段を有する図４及び図５に相応する第２実施例を示す。図６の実施例では、密封手段は、載置ディスク４の半径方向外方の縁部領域に、載置ディスク４の平滑な前面側の外周壁と面一に結合する軟質材料からなるウェブリップ３２を有する。ウェブリップ３２は、図５の実施例に比べて必要な材料はより少ないが、依然として十分な密封作用が得られる。
【図１】
2010534304.tif 000003
【図２】
2010534304.tif 000004
【図３】
2010534304.tif 000005
【図４】
2010534304.tif 000006
【図５】
2010534304.tif 000007
【図６】
2010534304.tif 000008
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
支持部材（１８）と取付け部材（２０）とを結合するための固定エレメントであって、
該固定エレメントは、保持部材（２）と、縦長のロック部材（３）とを有し、
前記保持部材（２）は、載置ディスク（４）と、該載置ディスク（４）に関して半径方向内方にずれて位置し該載置ディスク（４）に形成された複数のスプリット式拡開側壁（以下「拡開側壁」という）（５）とを有し、該複数の拡開側壁（５）は、それぞれ、前記載置ディスク（４）から所与の距離において半径方向内方に突出する滑り凸部（１４）と、半径方向外方に肥厚する外周壁（２２）とを有し、
前記ロック部材（３）は、そのシャフト部分（６）を以って、前記載置ディスク（４）内に該シャフト部分（６）と面一な案内壁（１３）を備えて形成された案内切欠部（１２）を通り、前記複数の拡開側壁（５）間の前記保持部材（２）内に挿入可能であり、該ロック部材（３）は前記滑り凸部（１４）に乗り上げると前記拡開側壁（５）を半径方向外方に動かすよう構成された、固定エレメントにおいて、
前記案内切欠部（１２）と前記滑り凸部（１４）との間の各拡開側壁（５）には、前記載置ディスク（４）に隣接して、前記案内切欠部（１２）の前記案内壁（１３）に対して半径方向外方にずれて位置する自由壁（１６）が形成されていること
を特徴とする固定エレメント。
【請求項２】
各自由壁（１６）は、前記載置ディスク（４）から前記滑り凸部（１４）まで延在していること
を特徴とする請求項１に記載の固定エレメント。
【請求項３】
前記ロック部材（３）は、前記保持部材（２）から離隔する側を指向するヘッド部分（８）と前記シャフト部分（６）との間に、リング溝（９）を有すること
を特徴とする請求項１または２に記載の固定エレメント。
【請求項４】
前記シャフト部分（６）には、半径方向に当該シャフト部分（６）を越えて突出する弾性的なヘッドシール（２８）が密封手段によって形成されており、
前記ヘッドシール（２８）は、前記ロック部材（３）が導入された状態において、前記案内壁（１３）に当接すること
を特徴とする請求項１〜３の何れか一項に記載の固定エレメント。
【請求項５】
前記載置ディスク（４）と前記自由壁（１６）との間の少なくとも前記拡開側壁（５）に、前記自由壁（１６）に対して直角にないし急峻に延在する戻り止め（返し）壁（Ruecksprungwand）（１７）が形成されていること、及び
前記シャフト部分（６）には、前記ロック部材（３）の最終組み付け固定状態において前記戻り止め（返し）壁（１７）に後方から係合する弾性的な係止手段（２６）が形成されていること
を特徴とする請求項１〜４の何れか一項に記載の固定エレメント。
【請求項６】
前記載置ディスク（４）には、弾性的な密封手段（３１，３２）が形成されており、該密封手段は、最終組み付け固定状態において前記係止手段（２６）が前記戻り止め（返し）壁（１７）に後方から係合する際に変形して取付け部材（２０）に当接すること
を特徴とする請求項５に記載の固定エレメント。
【手続補正書】
【提出日】平成22年3月25日(2010.3.25)
【手続補正１】
【補正対象書類名】明細書
【補正対象項目名】全文
【補正方法】変更
【補正の内容】
【発明の詳細な説明】
【技術分野】
【０００１】
本発明は、請求項１の上位概念（前置部）に応じた支持部材と取付け部材とを結合するための固定エレメントに関する。即ち、本発明は、保持部材と、縦長のロック部材とを有する、支持部材と取付け部材とを結合するための固定エレメントに関する。
【背景技術】
【０００２】
この種の固定エレメントはＤＥ ３４ ２４ ０７５ Ｃ２から既知である。支持部材と取付け部材とを結合するためのこの既知の固定エレメントは、支持部材の締付け切欠部にはめ込まれ得る保持部材を有し、該保持部材は、１つの載置ディスクと、この載置ディスクに関して半径方向内方にずれて位置し該載置ディスクに形成された複数のスプリット式拡開側壁とを有する。複数の拡開側壁は、それぞれ、載置ディスクから所定の距離の位置において半径方向内方に突出する滑り凸部を有する。さらに、上記の種類の固定エレメントは、縦長のロック部材を備え、該ロック部材は、そのシャフト部分を以って、載置ディスク内に当該ロック部材と面一な案内壁を備えて形成されている案内切欠部を通して保持部材内の複数の拡開側壁の間に挿入可能である。その際、ロック部材は、滑り凸部に衝突して拡開側壁を半径方向外方に動かすことにより、支持部材と載置ディスクの間に配置された取付け部材は、締め付け作用によって支持部材と結合される。
【先行技術文献】
【特許文献】
【０００３】
【特許文献１】ＤＥ ３４ ２４ ０７５ Ｃ２
【特許文献２】ＪＰ ６１ １６７７０８ Ａ
【特許文献３】ＤＥ １９８ １６ ５３３ Ａ１
【発明の概要】
【発明が解決しようとする課題】
【０００４】
本発明の課題は、公差のマイナス側において支持部材自体の締付け切欠部の寸法の公差がより大きい場合であっても、ロック部材の挿入のための力は比較的小さいにも拘わらず、引き抜きには大きな力を要する大きな締め付け作用が生成されるように構成された、冒頭に述べた形式の固定エレメントを提供することである。
【課題を解決するための手段】
【０００５】
上記の課題は、冒頭に述べた種類の固定エレメントにおいて、本発明に応じ、請求項１の特徴部に記載の特徴によって解決される。即ち、上記の課題を解決するために、本発明の一視点により、支持部材と取付け部材とを結合するための固定エレメントであって、
該固定エレメントは、保持部材と、縦長のロック部材とを有し、
前記保持部材は、載置ディスクと、該載置ディスクに関して半径方向内方にずれて位置し該載置ディスクに形成された複数のスプリット式拡開側壁（以下「拡開側壁」という）とを有し、該複数の拡開側壁は、それぞれ、前記載置ディスクから所与の距離において半径方向内方に突出する滑り凸部と、半径方向外方に肥厚する外周壁とを有し、
前記ロック部材は、そのシャフト部分を以って、前記載置ディスク内に該シャフト部分と面一な案内壁を備えて形成された案内切欠部を通り、前記複数の拡開側壁間の前記保持部材内に挿入可能であり、該ロック部材は前記滑り凸部に乗り上げると前記拡開側壁を半径方向外方に動かすよう構成された固定エレメントが提供される。この固定エレメントにおいて、
前記案内切欠部と前記滑り凸部との間の各拡開側壁には、前記載置ディスクに隣接して、前記案内切欠部の前記案内壁に対して半径方向外方にずれて位置する自由壁が形成されていることを特徴とする（形態１・基本構成）。
なお、特許請求の範囲に付した図面参照符号は専ら発明の理解を助けるためのものに過ぎず、本発明を図示の態様に限定することは意図していない。
【発明の効果】
【０００６】
案内切欠部と複数の滑り凸部との間の、各スプリット式拡開（拡縮）側壁（割れ目で分割され拡縮可能な拡開側壁（Spreizwange）。以下「拡開側壁」という。）（の部分）に案内壁に対して半径方向外方にずれて位置する自由壁が形成されることによって、支持部材に貫通嵌込切欠部が比較的ぎりぎりの寸法で形成されているために拡開側壁がその弛緩状態に対して（半径方向）内方に湾曲されている場合であっても、シャフト部分は案内切欠部を貫通後に実質的に力を要することなく拡開側壁間に嵌り込む。そもそも予定されていない拡開側壁の（半径方向）内方への湾曲が生じる場合であっても、支持部材の貫通嵌込切欠部に保持部材が実質的に相互作用なしで配される場合には一層のこと、固定部材の挿入方向において前方に位置する脚端部は、載置ディスクから所定の距離だけ離れたところで初めて拡開側壁に作用するため、この場合に得られる有利な梃子比に基づき、比較的小さな挿入力によって（挿入のために比較的小さな力しか要しないにも拘わらず）大きな締め付け力が生成される。
【発明を実施するための形態】
【０００７】
本発明の更なる有利な形態は従属請求項の対象である。以下に、本発明の好ましい実施の形態を示す。
（形態１）  上掲。
（形態２）  上記形態１の固定エレメントにおいて、各自由壁は、前記載置ディスクから前記滑り凸部まで延在していることが好ましい。
（形態３）  上記形態１又は２の固定エレメントにおいて、前記ロック部材は、前記保持部材から離隔する側を指向するヘッド部分と前記シャフト部分との間に、リング溝を有することが好ましい。
（形態４）  上記形態１〜３の何れかの固定エレメントにおいて、前記シャフト部分には、半径方向に当該シャフト部分を越えて突出する弾性的なヘッドシールが密封手段によって形成されており、
前記ヘッドシールは、前記ロック部材が導入された状態において、前記案内壁に当接することが好ましい。
（形態５）  上記形態１〜４の何れかの固定エレメントにおいて、前記載置ディスクと前記自由壁との間の少なくとも前記拡開側壁に、前記自由壁に対して直角にないし急峻に延在する戻り止め（返し）壁（Ruecksprungwand）が形成されていること、及び
前記シャフト部分には、前記ロック部材の最終組み付け固定状態において前記戻り止め（返し）壁に後方から係合する弾性的な係止手段が形成されていることが好ましい。
（形態６）  上記形態５の固定エレメントにおいて、前記載置ディスクには、弾性的な密封手段が形成されており、該密封手段は、最終組み付け固定状態において前記係止手段が前記戻り止め（返し）壁に後方から係合する際に変形して取付け部材に当接することが好ましい。
【０００８】
以下に、本発明の実施例を図面を参照して詳細に説明する。
【図面の簡単な説明】
【０００９】
【図１】保持部材とロック部材を備える本発明の固定エレメントの第１実施例の斜視図。
【図２】組み付け固定準備状態にあるロック部材を備える図１の実施例の断面図。
【図３】最終組み付け固定状態にあるロック部材を備える図１の実施例の断面図。
【図４】保持部材と、係止手段を有するロック部材とを備える本発明の固定エレメントの更なる実施例の斜視図。
【図５】ロック部材が最終組み付け固定状態にあり、第１の形態のシールエレメントを備えた図４の実施例の断面図。
【図６】ロック部材が最終組み付け固定状態にあり、第２の形態のシールエレメントを備えた図４の実施例の断面図。
【実施例】
【００１０】
図１は、硬弾性のプラスチック材料で作製された本発明の固定エレメント１の第１実施例を斜視図である。固定エレメント１は、保持部材２と、該保持部材２に摺動可能に軸支される縦長のロック部材３とを有する。保持部材２はディスク状の平坦な載置ディスク４を有し、載置ディスク４には、一方の側に、ロック部材３の周りに取り囲むように配された複数のスプリット式拡開（拡縮）側壁（Spreizwange）５が形成されている（作り付けられている）。ロック部材３はシャフト部分６を有し、シャフト部分６は空転を阻止する機能を有する平坦な平坦部７以外は円筒状である。平坦部７は、グリップ補助部として機能し（全）周に延在するリング溝９により形成されたヘッド部分８から係止段差部１０を形成してヘッド部分８の反対側に位置する脚部分１１まで延在している。脚部分１１は、図１に示した状態では、載置ディスク４に形成された案内切欠部１２に嵌め込まれている。案内切欠部１２は案内壁１３を備えて形成され、案内壁１３はシャフト部分６を面一に取り囲むため、ロック部材３は実質的に遊びなしで案内切欠部１２から保持部材２内に案内され、係止段差段１０が載置ディスク４に当接するまで保持部材２内に導入可能である。
【００１１】
図２は、ロック部材３が引き出されている組み付け固定準備状態にある図１の実施例の断面を示す。組み付け固定準備状態では、脚部分１１は案内切欠部１２内に配置されている。図２から明らかなとおり、拡開側壁５は、載置ディスク４から所定の距離の部位に半径方向内方に突出する滑り凸部１４が形成されている。滑り凸部１４は、固定エレメント１の長手方向においてその載置ディスク４を指向する側の端部から載置ディスク４から離隔する側を指向する端部まで、半径方向内方に扁平に（緩傾斜で）上昇する滑り壁１５を有する。さらに図２から明らかなとおり、載置ディスク４と滑り凸部１４との間の各拡開側壁５の部分に、案内壁１３に対して半径方向で外方にずれて（後退して）位置する自由壁１６と、案内壁１３から自由壁１６まで延在し、案内壁１３に対して実質的に直角に配向され（全）周にわたって延在する戻り止め（返し）壁（ないし肩部：Ruecksprungwand）１７が形成されている。
【００１２】
図２の状態では、固定エレメント１は、支持部材１８に形成された締付け切欠部１９内及び取付け部材２０に設けられた貫通嵌込切欠部２１内に挿入されているが、この状態では、載置ディスク４は取付け部材２０に当接し、他方、外周壁２２が載置ディスク４から取付け部材２０の厚さにほぼ相当する距離の部位から出発し半径方向外方に肥厚している（幅が広くなっている）ため、拡開側壁５は、バネ圧縮に対する拡開側壁５のバネ力に相当する組み付け固定準備状態保持力によって支持部材１８に固定されている。
【００１３】
さらに図２から明らかなとおり、載置ディスク４は、この実施例では一体的に構成されているため、拡開側壁５を指向する側に半径方向外方において（全）周に延在する密封リップ２３を硬弾性の密封手段として有する。密封リップ２３は、軸線方向において、拡開側壁５に指向された底壁２４を少々越えて突出し、かつ、密封リップ２３のある程度の変形可能性を得るために、半径方向内方において、（全）周にわたって延在し円弧状に窪んだ縁溝２５によって画成されている。
【００１４】
図３は、ロック部材３が保持部材２に導入された最終組み付け結合状態にある図１と図２に基づいて説明した実施例を示す。図３から明らかなとおり、ロック部材３のヘッド部分８と各自由壁１６との間に半径方向に間隔が存在する。この間隔のため、脚部分１１は、例えば締付け切欠部１９の寸法が公差のマイナス側にあるために拡開側壁５が半径方向内方に（予）付勢されている場合であっても、軸線方向に例えば拡開側壁５の長さの凡そ３分の１の導入経路を実質的に力を受けることなく進んで初めて滑り凸部１４の滑り壁１５と接触し、支持部材１８の締付け切欠部１９内で締め付け状態にある保持部材２の拡開側壁５を（外方に）広げる。半径方向における拡開側壁５の拡開による締め付け作用により、固定エレメント１は引き抜きのために大きな力を要するほど安定的に支持部材１８に係止される。その際、密封リップ２３はやや付勢されて取付け部材２０に面一に当接することにより、締付け切欠部１９と挿入切欠部２１を密封する。
【００１５】
さらに、載置ディスク４から比較的大きな距離のところで脚部分１１が滑り凸部１４に作用を及ぼすため、拡開側壁５の拡開のために有利な梃子比が達成される。この梃子比は、締付け切欠部１９の直径が目標直径に対して過度に小さいために、拡開側壁５が半径方向内方に曲げられて過度に（予）付勢される場合であっても得られる。
【００１６】
固定エレメント１を支持部材１８との嵌合状態から解除するために、例えば２本の指または把持工具によってロック部材３を有利にはリング溝９の領域で把持し、図３に示した最終組み付け固定状態から図２に示した組み付け固定準備状態に引き戻すことができるため、固定エレメント１は再び支持部材１８から除去することができる。
【００１７】
図４は、本発明の固定エレメント１の更なる（第２の）実施例の斜視図である。なお、図１〜図３及び図４において対応するエレメントには同じ図面参照符合が付してあり、以下においては詳細には説明しない。図４から明らかなとおり、第２実施例のロック部材３のシャフト部分６には、係止手段として、ヘッド部分８の方向に延在し、半径方向にシャフト部分６を越えて突出する弾性的な係止タング（舌状片）２６が形成されている（作り付けられている）。係止タング２６は、シャフト部分６の方向に空間部２７に陥入することができる。
【００１８】
図４に記載された第２実施例では、ロック部材３のヘッド部分８に、（全）周に延在する弾性的なヘッドシール２８が軟弾性の密封手段によって形成されているが、ヘッドシール２８も同様に半径方向外方にシャフト部分６を越えて張り出している。更に、第２実施例の場合、ヘッド部分８は、シャフト部分６から離隔する側に、半径方向に同様にシャフト部分６を越えて張り出しているヘッドディスク２９を有する。
【００１９】
図５は、図４に示した組み付け固定準備状態から最終組み付け固定状態にロック部材３が移行した後の状態にある図４の第２実施例を示す。この最終組み付け固定状態では、係止タング２６の自由端と、ヘッドディスク２９の係止タング２６を指向する側との間の距離が相応に調整されているため、係止タング２６は戻り止め（返し）壁（肩部）１７に後方から係合し、それによって固定エレメント１に大きな引き抜き力が加えられるまでロック部材３を保持部材２にロックする。最終組み付け固定状態においては、ヘッドシール２８は、案内切欠部１２の案内壁１３に圧迫されて密着している。
【００２０】
さらに図５から明らかなとおり、第１の形態の密封手段では、ヘッドディスク２９の半径方向外側に形成された（全）周に延在する縁ウェブ３０に、軟質材料からなる弾性的なカラーリップ３１が形成されている（作り付けられている）。カラーリップ３１は、載置ディスク４の拡開側壁５を指向する側の半径方向の拡張部（広がり）にほぼ相当する半径方向の拡張部（広がり）を有する。これによって、取付け部材２０におけるカラーリップ３１の載置面積が比較的に大きくなるため、良好な密封作用が得られる。
【００２１】
図６は、第２の形態の密封手段を有する図４及び図５に相応する第２実施例を示す。図６の実施例では、密封手段は、載置ディスク４の半径方向外方の縁部領域に、載置ディスク４の平滑な前面側の外周壁と面一に結合する軟質材料からなるウェブリップ３２を有する。ウェブリップ３２は、図５の実施例に比べて必要な材料はより少ないが、依然として十分な密封作用が得られる。
【国際調査報告】
2010534304.tif 000009
2010534304.tif 000010
2010534304.tif 000011
2010534304.tif 000012